(57)【要約】【課題】誘引空気吸込口の面積を小さくした場合であっても、近距離の使用者に向けて広範囲に送風できる送風装置を提供する。【解決手段】誘引空気を利用した送風装置において、高圧空気を第一吹出口まで導く導風部における誘引空気混合部側の側壁に高圧空気の一部を吹出す補助吹出口を備えることで、吹出口近傍における負圧の発生を抑制し、これにより気流が狭範囲にまとまってしまう現象を低減することができ、近距離であっても広範囲に送風できる送風装置を提供する。【選択図】図３
2016156272.tif 000002
【特許請求の範囲】
【請求項１】
空気を取り入れる吸込口と、
前記吸込口から取り入れた空気を圧縮して高圧空気を発生させる高圧空気発生手段と、
前記高圧空気を吹出す第一吹出口と、
前記高圧空気を前記高圧空気発生手段から前記第一吹出口まで導く導風部と、
前記吸込口と前記高圧空気発生手段と前記導風部と前記第一吹出口を連通する第一風路と、
前記第一吹出口の吹出方向に対して垂直方向に導風部を貫通する貫通孔によって形成され前記第一吹出口から吹き出す空気に誘引させて空気を吸い込む複数の誘引空気吸込口と、
複数の前記誘引空気吸込口から吸込まれた空気を混合する誘引空気混合部と、
前記誘引空気混合部にて混合された空気を吹出す誘引空気吹出口と、
前記誘引空気吸込口と前記誘引空気混合部と前記誘引空気吹出口とを連通する第二風路と、
前記第一風路において前記第一吹出口と前記誘引空気吸込口とで挟まれる前記導風部の前記誘引空気混合部側の側壁に前記高圧空気の一部を吹出す補助吹出口とを備えた送風装置。
【請求項２】
前記補助吹出口の吹出方向が、前記第一吹出口の吹出方向に傾斜を有する請求項１に記載の送風装置。
【請求項３】
前記補助吹出口の吹出方向が、前記第一吹出口の吹出方向に対して４５°以上９０°未満の角度を有する請求項２に記載の送風装置。
【請求項４】
前記補助吹出口の吹出方向が、前記第一吹出口の吹出方向に対して９０°の角度を有する請求項１に記載の送風装置。
【発明の詳細な説明】
【技術分野】
【０００１】
本発明は、例えば、送風により清涼感を与えたり空間内の空気循環を促したりする送風装置に関するものである。
【背景技術】
【０００２】
従来、この種の送風装置は、羽根車とモータを筐体に内包し、円環形状の送風部から空気を吹出して、空気の流れを生じさせる送風装置が知られている（例えば、特許文献１参照）。
【０００３】
以下、その送風装置について図６および図７を参照しながら説明する。
【０００４】
図６は、送風装置１０１の斜視図を、図７は、送風装置１０１の断面投影図を示している。送風装置１０１は、筐体１０２に、空気を取り入れる吸込口１０３と、高圧空気を発生するための羽根車１０４と前記羽根車１０４を駆動するためのモータ１０５で構成された高圧空気発生手段１０６と、高圧空気を吹出すための環形状の吹出口１０７と、高圧空気を前記羽根車１０４から前記吹出口１０７に導く第一風路１０８と、前記吹出口１０７から吹出す空気に誘引されて空気を吸込む複数の誘引空気吸込口１０９と、複数の前記誘引空気吸込口１０９に吸込まれた空気を混合する誘引空気混合部１１０と、誘引された空気を吹出す誘引空気吹出口１１１と、前記誘引空気吸込口１０９と前記誘引空気混合部１１０と前記誘引空気吹出口１１１を連通する第二風路１１２を備えたものである。
【０００５】
上記構成で、送風装置１０１は以下のように動作する。高圧空気発生手段１０６が駆動することで吸込口１０３から吹出口１０７への空気の流れが発生する。この空気の流れに誘引されて、複数の誘引空気吸込口１０９から空気が誘引される。複数の誘引空気吸込口１０９から誘引された空気は、誘引空気混合部１１０で混合され、誘引空気吹出口１１１の方向に流れを変更された状態で誘引空気吹出口１１１から吹き出される。この際、吹出口１０７から吹き出される空気とまとまった状態で吹き出されるため、大風量の送風が可能である。
【先行技術文献】
【特許文献】
【０００６】
【特許文献１】特開２０１３−２２４６５０号公報
【発明の概要】
【発明が解決しようとする課題】
【０００７】
このような従来の送風装置は、ニーズに応じて小型化や薄型化、さらには誘引空気吸込口の形状の変更などが要求される。しかしながら、これらの影響によって誘引空気吸込口の面積を小さくすると、誘引できる空気量が減少してしまう。そして誘引できる空気量が減少すると、誘引空気吹出口周辺で吹き出される誘引空気の量が減少し、結果としてこの領域が負圧になる。これによって、吹出口から排出された高圧空気は負圧領域、即ち中心軸方向に向けた圧力が掛かった状態で、誘引空気共々下流方向に流れていく。その結果、送風装置から吹き出される空気は、狭い範囲にしか送風できなくなってしまうという課題があった。
【０００８】
そこで本発明は、上記従来の課題を解決するものであり、誘引空気吸込口の面積を小さくしたときにも、広範囲に送風できる送風装置を提供することを目的とするものである。
【課題を解決するための手段】
【０００９】
本発明は、空気を取り入れる吸込口と、前記吸込口から取り入れた空気を圧縮して高圧空気を発生させる高圧空気発生手段と、前記高圧空気を吹出す第一吹出口と、前記高圧空気を前記高圧空気発生手段から前記第一吹出口まで導く導風部と、前記吸込口と前記高圧空気発生手段と前記導風部と前記第一吹出口を連通する第一風路と、前記第一吹出口の吹出方向に対して垂直方向に導風部を貫通する貫通孔によって形成され前記第一吹出口から吹き出す空気に誘引させて空気を吸い込む複数の誘引空気吸込口と、複数の前記誘引空気吸込口から吸込まれた空気を混合する誘引空気混合部と、前記誘引空気混合部にて混合された空気を吹出す誘引空気吹出口と、前記誘引空気吸込口と前記誘引空気混合部と前記誘引空気吹出口とを連通する第二風路と、前記第一風路において前記第一吹出口と前記誘引空気吸込口とで挟まれる前記導風部の前記誘引空気混合部側の側壁に前記高圧空気の一部を吹出す補助吹出口とを備えた送風装置であり、これにより所期の目的を達成するものである。
【発明の効果】
【００１０】
本発明によれば、誘引空気吸込口の面積を小さくしたときにも、広範囲に送風できる送風装置を提供することができる。
【図面の簡単な説明】
【００１１】
【図１】本発明の実施の形態１の送風装置を示す斜視図
【図２】本発明の実施の形態１の送風装置を示す側面図
【図３】本発明の実施の形態１の送風装置を示す断面図
【図４】（ａ）誘引空気吸込口の狭小化が施された従来の送風装置の側断面図、（ｂ）誘引空気吸込口の狭小化が施された本発明の実施の形態１の送風装置の側断面図
【図５】それぞれ同等の誘引空気吸込口の狭小化が施された従来の送風装置および本発明の実施の形態１の送風装置から近距離離れた位置における速度分布の比較概略図
【図６】従来技術の一例を示す斜視図
【図７】従来技術の一例の断面Ａでの構成を示す断面図
【発明を実施するための形態】
【００１２】
本発明に係る送風装置は、空気を取り入れる吸込口と、前記吸込口から取り入れた空気を圧縮して高圧空気を発生させる高圧空気発生手段と、前記高圧空気を吹出す第一吹出口と、前記高圧空気を前記高圧空気発生手段から前記第一吹出口まで導く導風部と、前記吸込口と前記高圧空気発生手段と前記導風部と前記第一吹出口を連通する第一風路と、前記第一吹出口の吹出方向に対して垂直方向に導風部を貫通する貫通孔によって形成され前記第一吹出口から吹き出す空気に誘引させて空気を吸い込む複数の誘引空気吸込口と、複数の前記誘引空気吸込口から吸込まれた空気を混合する誘引空気混合部と、前記誘引空気混合部にて混合された空気を吹出す誘引空気吹出口と、前記誘引空気吸込口と前記誘引空気混合部と前記誘引空気吹出口とを連通する第二風路と、前記第一風路において前記第一吹出口と前記誘引空気吸込口とで挟まれる前記導風部の前記誘引空気混合部側の側壁に前記高圧空気の一部を吹出す補助吹出口とを備えた送風装置である。
【００１３】
これにより、誘引空気吸込口の面積を小さくしたときにも、吹出口周辺の負圧化を抑制し、広範囲に送風できることが可能になる。
【００１４】
以下、添付図面を参照して、本発明の実施の形態につき説明し、本発明の理解に供する。なお、以下の実施の形態は、本発明を具体化した一例であって、本発明の技術的範囲を限定する性格のものではない。また、全図面を通して、同一の部位については同一の符号を付して説明を省略している。さらに、各図面において、本発明に直接には関係しない各部の詳細については説明を省略している。
【００１５】
（実施の形態１）
以下、本発明の実施の形態１について、図１から図６を参照しながらその構成の詳細を説明する。
【００１６】
図１は送風装置の斜視図、図２は送風装置の側面図である。
【００１７】
図１および図２に示すように、送風装置１は、ボウル形状の筐体２とボウル形状の内部空間における中央部に底面から起立した円錐台として設けられた台座部３とボウル形状における底面から外側に向けて突出させた円筒状の副筐体４とから構成されている。
【００１８】
筐体２には、第一吹出口５と誘引空気吸込口６と誘引空気混合部７と誘引空気吹出口８と導風部９と補助吹出口１０とが設けられている。
【００１９】
第一吹出口５は、ボウル形状における開口側の円周上に環状スリットの開口部として形成されている。
【００２０】
誘引空気吸込口６は、ボウル形状における側壁部に沿って等間隔に、当該側壁部の外側からボウル形状の中心軸５０（回転軸）に向かって貫通する略長方形の開口として複数（本実施の形態では６個）設けられている。
【００２１】
誘引空気混合部７は、隣接する誘引空気吸込口６から流入した空気が混合する箇所、つまりボウル形状における内部空間である。具体的には、筐体２の側壁部における内周側面および台座部３の外周側面で囲まれた空間に、台座部３の天面を含む面から第一吹出口５までの内部空間を加えた領域を指す。
【００２２】
誘引空気吹出口８は、第一吹出口５の内側に円形の平面として備えられている。ここで内側とは、第一吹出口５の内周縁部を基準にして中心軸５０側を意味する。
【００２３】
導風部９は、補助吹出口１０を備えており、側壁の内部の空間である。ここでいう側壁の内部の空間とは、側壁が有する厚みの内部を意味し、つまり導風部９は、側壁に沿って略ドーナツ状に形成されている。また導風部９には、その送風方向に対して略垂直かつ中心軸５０に向かって誘引空気吸込口６が貫通している。
【００２４】
補助吹出口１０は、導風部９の経路上で誘引空気吸込口６よりも第一吹出口５側の位置かつ側壁の内周側に、誘引空気混合部７に向けた開口として設けられている。
【００２５】
台座部３は、前述したように円錐台形状を有し、誘引空気混合部７に向かって筐体２の底面から隆起して形成されている。
【００２６】
副筐体４は、円筒形の側面に吸込口１１が設けられており、天面が筐体２内部で高圧空気発生手段に連通している。吸込口１１は、同一形状のスリット状開口部を複数個設けて構成されている。
【００２７】
続いて、図３を用いて送風装置１の内部構成及び各部の動作について詳しく説明する。なお図３は、送風装置の断面図である。
【００２８】
図３に示すように、筐体２の内部空間には、高圧空気発生手段１２が設けられている。
【００２９】
高圧空気発生手段１２は、羽根車１３およびモータ１４を備えている。
【００３０】
羽根車１３は、モータ１４の回転軸に接続されている。
【００３１】
モータ１４は、台座部３内に備えられ、送風装置１の外部から電源が引き込まれることで電気が供給される。
【００３２】
モータ１４を稼動して羽根車１３を回転させることで、高圧空気発生手段１２は、吸込口１１から取り入れた空気を圧縮して高圧空気１５を発生させる。
【００３３】
高圧空気発生手段１２を稼動することによって生じる高圧空気１５は、吸込口１１から羽根車１３と導風部９を経由して第一吹出口５まで連通する第一風路を流れる。つまり、図３において、高圧空気１５の流れを示す風路であって、送風装置１内の部分が前述の第一風路となる。
【００３４】
誘引空気１６は、第一吹出口５から排出される高圧空気１５に誘引されて誘引空気吸込口６から送風装置１内に取り入れられる。そして誘引空気１６は、誘引空気吸込口６から誘引空気混合部７を経由して誘引空気吹出口８まで連通する第二風路を流れ、誘引空気吹出口８から排出される。つまり、図３において、誘引空気１６の流れを示す風路であって、送風装置１内の部分が前述の第二風路となる。
【００３５】
補助吹出口１０は、第一吹出口５の吹出方向に対して４５°の角度を有して高圧分岐空気１７を吹出す。高圧分岐空気１７は、導風部９の途中で高圧空気１５から分岐した空気の一部であり、誘引空気混合部７に向かって吹出される。
【００３６】
図４は、それぞれ誘引空気吸込口６の狭小化が施された従来の送風装置の側断面図（ａ）、および誘引空気吸込口６の狭小化が施された本実施の形態１の送風装置の側断面図（ｂ）である。また、図５は、送風装置から近距離離れた位置における速度分布の比較概略図である。なお、図５に示す点線１９は、図４（ａ）に示した送風装置の計測面５１ａにおける速度分布を、実線２０は図４（ｂ）に示した送風装置の計測面５１ｂにおける速度分布を表す。なお、図４および図５における送風装置において、誘引空気吸込口６の狭小化の程度は全て同一であり、つまり補助吹出口１０の有無以外の全ての構造および設計値は同一である。また、計測面５１ａおよび計測面５１ｂは、従来の送風装置の第一吹出口および本実施の形態１の送風装置の第一吹出口５からそれぞれ５０ｃｍという近距離を隔てて設けられたものである。なお計測面５１ａと中心軸５３ａの交点および計測面５１ｂと中心軸５３ｂの交点をそれぞれ原点５２ａ、原点５２ｂとする。
【００３７】
図４（ａ）のように、誘引空気吸込口６の狭小化が施された従来の送風装置では、誘引空気１６の風量が減少してしまい、第二風路および第二風路の下流領域に強い負圧領域１８ａが形成されてしまう。それゆえ、第一吹出口から吹き出した高圧空気１５がその負圧領域１８ａに向けて急激に偏流してしまい、中心軸５３ａ近傍に集約された空気流が下流方向に流れていく。その結果、計測面５１ａにいる使用者は、図５の点線１９で示すように、原点５２ａ周辺の範囲の狭い送風しか享受できなくなってしまう。
【００３８】
しかし、上記に示した送風装置１の場合、動作状態において図４（ｂ）のように、補助吹出口１０から吹出された高圧分岐空気１７が、第二風路および第二風路の下流領域において発生する負圧領域１８ｂを抑制する。これによって、負圧領域１８ｂでの負圧が弱まることで高圧空気１５の偏向の程度を抑制することができる。また負圧領域１８ｂの抑制により、誘引空気１６の流入を促進させる。その結果、図５の実線２０で示すように、計測面５１ｂにいる使用者に向けて原点５２ｂを基準とする送風範囲を拡げることが可能になる。
【００３９】
なお、本実施の形態では、補助吹出口１０の吹出方向が、第一吹出口５の吹出方向に対して４５°、中心軸５３ｂ向きの角度を有するように構成されているが、補助吹出口１０の吹出方向が第一吹出口５の吹出方向に対して４５°以上９０°未満あるいは９０°の角度を有していても抑制効果を得られる。これにより、補助吹出口１０から吹出された高圧分岐空気１７が、第二風路および第二風路の下流領域において発生する負圧領域１８ａをより広範囲で抑制することが可能になる。そして負圧領域１８ｂでの負圧が弱まることで高圧空気１５の偏向の程度を抑制することができる。
【００４０】
なお、本実施の形態では、補助吹出口１０は約２．５ｍｍの幅を有して環状に形成されているが、補助吹出口１０の面積を調整することで送風装置のサイズに応じた適切な高圧空気１５および高圧分岐空気１７の風量バランスを設定することが望まれる。また、補助吹出口１０は第一吹出口５と誘引空気吸込口６のほぼ中間の位置に設けているが、中間の位置より誘引空気吸込口６寄りに設けることで、誘引空気１６の誘引空気吸込口６への流入量を増加させることができる。これにより、送風装置１が吹き出す総風量が増加し、小型でありながら大風量の送風を行うことができる。
【００４１】
また、本実施の形態では、誘引空気混合部７に向かって隆起した台座部３を設けて、台座部３内にモータ１４を備えて、モータ１４に羽根車１３を備え、これによって羽根車出口から第一吹出口５までの距離を短縮している。その結果、送風装置１の小型化を果たすことが可能になると共に、第一風路の圧力損失を抑制することで羽根車１３を低圧力下で使用することが可能になるため、送風装置１の省エネルギー化が果たされる。ただし、台座部３の有無や羽根車１３およびモータ１４の位置に制限は無い。
【００４２】
また、本実施の形態では、筐体２をボウル状に、台座部３を円錐台に、副筐体４を円筒状に形成しているが、これら形状に特に制限は無い。
【００４３】
また、本実施の形態では、吸込口として、同一形状のスリット状開口部を複数個設けているが、十分な吸込空気量が確保されれば、吸込口１１の面積や形状および個数に特に制限は無い。
【００４４】
また、本実施の形態では、円形に第一吹出口５を設けているが、第一吹出口５の形状に特に制限は無い。例えば三角形、四角形、多角形、楕円等であってもよい。
【００４５】
また、第一吹出口５を環状に設けているが、本実施の形態でいう環状とは途切れが無く完全な環状を指すものではない。設計上の制約またはデザイン上の問題などで環状部分（第一吹出口）が部分的に途切れていても、空気を誘引できる構造であれば問題は無い。ただし、完全な環状とすることで、より効率的な誘引空気１６の誘引が期待できる。
【００４６】
なお、第一吹出口５はスリット状に幅２．５ｍｍとしているが、第一吹出口５の幅に特に制限は無い。つまり、空気を誘引できるのであれば必ずしもスリット形状でなくてもよい。
【００４７】
また、本実施の形態では、高圧空気発生手段１２として羽根車１３およびモータ１４を設けているが、高圧空気発生手段１２に特に制限は無く、多様な形状の送風手段を利用可能である。
【産業上の利用可能性】
【００４８】
本発明にかかる送風装置は、近距離の使用者に向けて広範囲に送風できる送風装置として有用である。
【符号の説明】
【００４９】
１  送風装置
２  筐体
３  台座部
４  副筐体
５  第一吹出口
６  誘引空気吸込口
７  誘引空気混合部
８  誘引空気吹出口
９  導風部
１０  補助吹出口
１１  吸込口
１２  高圧空気発生手段
１３  羽根車
１４  モータ
１５  高圧空気
１６  誘引空気
１７  高圧分岐空気
１８ａ、１８ｂ  負圧領域
１９  点線
２０  実線
５０  中心軸
５１ａ、５１ｂ  計測面
５２ａ、５２ｂ  原点
５３ａ、５３ｂ  中心軸
【図１】
2016156272.tif 000003
【図２】
2016156272.tif 000004
【図３】
2016156272.tif 000005
【図４】
2016156272.tif 000006
【図５】
2016156272.tif 000007
【図６】
2016156272.tif 000008
【図７】
2016156272.tif 000009